(57)【要約】  【課題】  リード線を用いず、容易かつ低コストに施工でき、かつ、ランニングコストの低減も可能としながら、漏水の発生を常に確実かつ早期に検知することができるようにする。【解決手段】  弾性層４及び補強層５からなる管周壁部６の管軸方向の両端部に配管接続用フランジ部７，７が設けられている管継手１において、管周壁部６の弾性層４の肉厚内に、自己の識別コードを含むデータを記録するＩＣチップ及び前記データを所定の周波数の電波により発信出力するアンテナを有し、接水時に電波の発信機能を停止する、または、発信機能が障害を受けるように構成された非接触式の無線ＩＣセンサー８を、管軸方向に少なくとも一つ設けている。  【選択図】      図１
2007218839.tif 000002
【特許請求の範囲】
【請求項１】
弾性層及び補強層からなる管周壁部の管軸方向の両端部に配管接続用フランジ部が設けられている管継手において、
前記管周壁部の弾性層の肉厚内または管周壁部の外部に、自己の識別コードを含むデータを記録するＩＣチップ及び前記データを所定周波数の電波により発信出力するアンテナを有し、接水時には電波の発信機能を停止する、または、発信機能が障害を受けるように構成された非接触式の無線ＩＣセンサーが、管軸方向に少なくとも一つ設けられていることを特徴とする漏水検知型管継手。
【請求項２】
前記管継手が水平またはほぼ水平姿勢に敷設される横引き配管に接続使用される場合、その管継手の管周壁部の下側外部には、該管周壁部に発生した損傷部又は該損傷部及び前記フランジ部による配管接続部から外部に漏洩した水を集める集水手段が設けられ、この集水手段による集水箇所に前記無線ＩＣセンサーが設置されている請求項１に記載の漏水検知型管継手。
【請求項３】
前記管継手が対地垂直またはほぼ垂直姿勢に敷設される縦引き配管に接続使用される場合、その管継手の下側フランジ部の上面に、前記管周壁部に発生した損傷部及び上側フランジ部による配管接続部から外部に漏洩し管周壁部の外面を伝って流下する水に接触するように前記無線ＩＣセンサーが設置されている請求項１に記載の漏水検知型管継手。
【請求項４】
前記管周壁部の上下中間部位に環状の貯水用段差が形成されているとともに、この貯水用段差に貯水された水を前記下側フランジ部の上面に設置した前記無線ＩＣセンサーに向けて流下案内する通水溝が前記管周壁部の外表面に形成されている請求項３に記載の漏水検知型管継手。
【請求項５】
前記管継手が対地垂直またはほぼ垂直姿勢に敷設される縦引き配管に接続使用される場合、その管継手の下側フランジ部に接続される下部配管の外周部に環状の貯水用段差が形成され、この貯水用段差の上面に、前記管周壁部に発生した損傷部並びに上側フランジ部及び下側フランジによる上下両配管接続部から外部に漏洩し管周壁部の外面を伝って流下する水に接触するように前記無線ＩＣセンサーが設置されている請求項１に記載の漏水検知型管継手。
【発明の詳細な説明】
【技術分野】
【０００１】
本発明は、例えば各種の給排水管にように、地上もしくは地中の屈曲部や立ち上がり部などに水平またはほぼ水平姿勢に敷設される横引き配管、あるいは、対地垂直またはほぼ垂直姿勢に敷設される縦引き配管に接続使用される管継手で、その管周壁部の損傷部や配管との接続部から漏水が発生した場合、その漏水を早期に検知できるようにした漏水検知型管継手に関する。
【背景技術】
【０００２】
この種の管継手は、その用途、使用態様からみて、耐圧性の他に可撓性や屈曲性などの変位特性が要求されており、その変位特性を付与するために、ゴムもしくはエラストマーなどを用いた弾性層と合成繊維やスチールコードなどの補強繊維を用いた補強層とから管周壁部が形成され、この管周壁部の管軸方向の両端部に配管接続用フランジ部が設けられている。そして、このような管継手において、管周壁部を構成する弾性層や補強層が損傷や裂傷などして漏水を発生したとき、それを早期に検知できることが重要である。もし、漏水が早期に検知できないとすると、損傷や裂傷箇所の損傷度合いが急速に拡大進行して遂には管周壁部がバーストして大量の水が一気に溢れ出し、その溢れ出した水により周辺設備やそれよりも低所の設備などが没水してしまうなど予期せぬ不良事態を引き起こす可能性がある。
【０００３】
このような予期せぬ不良事態の発生を避けるべく漏水の発生をできるだけ早期に検知するために、管周壁部とこれを被覆する保温材との間に湿度センサーもしくは温度センサーを設けて漏水の発生をそれらセンサーにより検出し、その検出信号をリード線を通して管継手とは別個に設置した漏洩検知装置に送信するようにした漏水検知システムが提案されている（例えば、特許文献１参照）。
【０００４】
また、管周壁部の弾性層の肉厚内に導電体を埋設し、この導電体に接続したリード線を管周壁部の外部に導出させ、その導出させたリード線を、金属製配管に接続され、かつ、電源及びブザーやランプなどの警報装置を経由した別のリード線に接続して閉回路を構成させ、管周壁部に亀裂などが発生して該亀裂の隙間を伝って漏水が発生したとき、その漏洩水の導電性によって導電体と内部水とを電気的に導通状態として警報装置を作動させ警報を発するようにした漏水検知型管継手も提案されている（例えば、特許文献２参照）。
【０００５】
【特許文献１】特開平８−２８５７１７号公報
【特許文献２】特開平７−１０３３７７号公報
【発明の開示】
【発明が解決しようとする課題】
【０００６】
上記した特許文献１に示す従来の漏水検知システムや特許文献２に示す漏水検知型管継手の場合は、漏水の発生を早期に検知することが可能であるものの、何れの場合も、漏水検知信号を漏洩検知装置や警報装置に送信するためのリード線が必要である。そのため、管軸線長さが長い場合には、それに対応した長さのリード線の施工に多大な手間及びコストを要するだけでなく、リード線が一箇所でも断線してしまうと、所期の漏水検知機能を発揮することができなくなるために、一般に細いリード線が断線しないように十分な保護構造も必要とし、施工コストが益々高くなりやすい。その上、断線の有無も監視することも必要であるため、リード線に常時通電しておかなければならず、ランニングコストの上昇も避けられない。また、リード線を外部に導出することができないような密閉性が要求される管継手の場合には実施化が非常に困難ないし不可能であるという問題があった。
【０００７】
本発明は上記の諸実情に鑑みてなされたもので、リード線を全く用いず、容易かつ低コストに施工でき、かつ、ランニングコストの低減も可能なものでありながら、漏水の発生を常に確実かつ早期に検知することができる漏水検知型管継手を提供することを目的としている。
【課題を解決するための手段】
【０００８】
上記目的を達成するために、本発明に係る漏水検知型管継手は、弾性層及び補強層からなる管周壁部の管軸方向の両端部に配管接続用フランジ部が設けられている管継手において、前記管周壁部の弾性層の肉厚内または管周壁部の外部に、自己の識別コードを含むデータを記録するＩＣチップ及び前記データを所定の周波数の電波により発信出力するアンテナを有し、接水時には電波の発信機能を停止する、または、発信機能が障害を受けるように構成された非接触式の無線ＩＣセンサーが、管軸方向に少なくとも一つ設けられていることを特徴としている。
【発明の効果】
【０００９】
上記のような特徴構成を有する本発明によれば、管周壁部を構成する弾性層や補強層が損傷や裂傷して漏水を発生したとき、あるいは、漏水発生の可能性が高い状態にまで管周壁部が損傷したとき、漏洩した水または内部水が無線ＩＣセンサーに接触して該無線ＩＣセンサーからの電波の発信機能が停止される、もしくは、機能障害を受けることになる。これによって、無線ＩＣセンサー内に記録されている識別コード等のデータを送るための電波が各無線ＩＣセンサーとの間でデータをやりとりしていたリーダ／ライタに届かなくなり、したがって、このリーダ／ライタの動作を該リーダ／ライタにコントローラを介して接続されているパソコンなどのコンピュータで常時監視する、または、携帯型のリーダを準備し、これを日常点検時にホース外面に沿わせて移動させるといった簡単な点検作業を行うことによって、漏水の発生または漏水発生の可能性及びその漏水発生箇所をリアルタイムに確実に検知することができ、管周壁部がバーストするに至る前に管継手を交換あるいは補修して予期せぬ不良事態の発生を未然に防止することができる。
【００１０】
しかも、本発明では、リード線が全く不要な無線ＩＣセンサーを使用しているので、施工実施が容易であるとともに、施工コストの低減を図ることができる。加えて、可撓性などの変位特性を損なうことがない上に、リード線の断線などによる漏水検知機能の消失などの心配もないので、常時通電による断線監視の必要もなくてランニングコストの低減も図れるとともに、所期の漏水監視及び管継手の交換時期把握などの信頼性を顕著に高めることができるという効果を奏する。
【００１１】
本発明に係る漏水検知型管継手を、請求項２に記載のように、水平またはほぼ水平姿勢に敷設される横引き配管に接続使用する場合、その管継手の管周壁部の下側外部に、該管周壁部に発生した損傷部又は該損傷部及びフランジ部による配管接続部から外部に漏洩した水を集める集水手段を設け、この集水手段による集水箇所に前記無線ＩＣセンサーを設置することが望ましい。この場合は、管周壁部に発生した損傷部等からの漏水だけでなく、配管接続部で発生した漏水をも早期に検知することが可能で、例えば配管接続部からの漏水による水のロスや周辺設備等への悪影響を素早く解消することができる。
【００１２】
また、本発明に係る漏水検知型管継手を、請求項３に記載のように、対地垂直またはほぼ垂直姿勢に敷設される縦引き配管に接続使用する場合、その管継手の下側フランジ部の上面に、前記管周壁部に発生した損傷部及び上側フランジ部による配管接続部から外部に漏洩して管周壁部の外面を伝って流下する水に接触するように前記無線ＩＣセンサーを設置することによって、上記の横引き配管の場合と同様に、管周壁部に発生した損傷部からの漏水だけでなく、配管接続部で発生した漏水をも早期に検知することが可能で、例えば配管接続部からの漏水による水のロスや周辺設備等への悪影響を素早く解消することができる。
【００１３】
特に、縦引き配管に接続使用する場合において、請求項４に記載したように、管周壁部の上下中間部位に環状の貯水用段差を形成するとともに、この貯水用段差に貯水された水を前記下側フランジ部の内面側に設置した前記無線ＩＣセンサーに向けて流下案内する通水溝を前記管周壁部の外表面に形成することが望ましい。この場合は、管周壁部に発生した損傷部からの漏水並びに配管接続部で発生した漏水を前記段差に貯水した（溜める）うえ、通水溝を通して無線ＩＣセンサーに向けて流下案内させることができるので、漏水量が僅かな場合であっても、漏洩水を確実かつ迅速に無線ＩＣセンサーに接触させて漏水検知性能を一層高めることができる。
【００１４】
また、縦引き配管に接続使用する場合において、請求項５に記載したように、その管継手の下側フランジ部に接続される下部配管の外周部に環状の貯水用段差を形成し、この貯水用段差の上面に、前記管周壁部に発生した損傷部並びに上側フランジ部及び下側フランジによる上下両配管接続部から外部に漏洩して管周壁部の外面を伝って流下する水に接触するように前記無線ＩＣセンサーを設置することによって、管周壁部に発生した損傷部からの漏水はもちろん、管継手における上下両配管接続部からの漏水も検知することが可能であり、漏水検知範囲を管継手の全体に拡大することができる。
【発明を実施するための最良の形態】
【００１５】
以下、本発明の実施の形態を図面にもとづいて説明する。
図１は本発明に係る漏水検知型管継手の第１実施例を示す半截断面図であり、この漏水検知型管継手１は、天然ゴムあるいは合成ゴムから成形される内面ゴム層２及び外面ゴム層３よりなる弾性層４と、合成繊維やスチールコードなどの補強繊維よりなり、前記弾性層４の内，外ゴム層２，３間に介在される中間補強層５とから、耐圧性及び可撓性、屈曲性等の変位特性が付与された管周壁部６が形成されており、この管周壁部６の管軸方向の両端部には径外方へ向けて突出する環状のシール部６ａ，６ａが形成されているとともに、これら両環状シール部６ａ，６ａの内面側に高硬度鋼などからなる配管接続用のフランジ部７，７を一体に設けて構成されている。
【００１６】
上記のような基本構成を備えた管継手１において、前記管周壁部６を構成する弾性層４の内面ゴム層２と外面ゴム層３との境界面である前記中間補強層５の外周面上で、その管軸方向のほぼ中間部位に、後述する非接触式の無線ＩＣセンサー（無線ＩＣタグあるいはＲＦＩＤタグと呼ばれている）８が管周壁部６の円周方向に適当ピッチ間隔を隔てて複数個配設されている。
【００１７】
前記各無線ＩＣセンサー８は、図２に示すように、自己の識別コード（ＩＤ）等のデータを記録するメモリや電源電圧を一定にするコンデンサなどの部品が組み込まれたＩＣチップ８ａ及び渦巻状に巻かれた配線からなり、前記ＩＤ等のデータを所定の周波数の電波により外部に発信出力するアンテン８ｂを薄いラベル８ｃ（これは、カードであっても、スティックであってもよい。）に内蔵してなる。この無線ＩＣセンサー８から発信出力される電波は、無線ＩＣセンサー８とは別個に設けられるリーダ／ライタ９のアンテナ９ａで受信されてデータが読み取られ、その読み取られたデータはリーダ／ライタ９にコントローラ１０を介して接続されたパソコンなどのコンピュータ１１に入力されて識別管理されるように構成されている。前記無線ＩＣセンサー８は、ＩＣチップ８ａやアンテナ８ｂが接水したとき、電波の発信機能が停止される、もしくは、発信機能が障害を受けるように構成されている。
【００１８】
なお、前記無線ＩＣセンサー８は、電波の到達距離、つまり、通信距離が、使用周波数１３．５６ＭＨｚの近接型のもので最低１０ｃｍ程度であるから、前記管周壁部６の円周方向のピッチ間隔は２０ｃｍ程度に設定すればよい。また、無線ＩＣセンサー８には、使用周波数が１３．５６ＭＨｚ、２．４５ＭＨｚ、９５０ＧＨｚなど多種多様なものがあるが、水分の影響を受けやすい点からみると、使用周波数２．４５ＭＨｚ、９５０ＧＨｚのものを用いるのが最も効果的である。
【００１９】
上記のように構成された漏水検知型管継手１は、図３に示すように、その管軸方向両端のフランジ部７，７と給排水管などの配管１２，１２側のフランジ部１３，１３との対向面間に前記環状シール部６ａ，６ａを介在させて両フランジ部７，７と１３，１３とをボルト・ナット１４，１４を介して締め付けることにより、前記配管１２，１２間に水密状態に接続固定して用いられる。
【００２０】
このような使用態様において、弾性層４における内面ゴム層２が裂傷した場合、管周壁部６内を流通している内部水の一部が裂傷部ｘの隙間を通して中間補強層５に到達したのち、その中間補強層５を形成する繊維を浸透して無線ＩＣセンサー８に接触することになり、これによって、無線ＩＣセンサー８からの電波の発信機能が停止する、もしくは、発信機能が障害を受けることになる。
【００２１】
これに伴って、前記無線ＩＣセンサー８内に記録されているＩＤ等のデータを送るための電波がリーダ／ライタ９に届かなくなり、したがって、このリーダ／ライタ９の動作を常時監視しているコンピュータ１１において、発信停止あるいは発信障害を発生した無線ＩＣセンサー８が確認表示されることになり、これによって、管周壁部６が損傷を受けて漏水発生の可能性が高いことをリアルタイムに確実に検知することができる。
【００２２】
また、上記のような常時監視体制に代えて、携帯型のリーダを準備し、このリーダを管周壁部６の外面に沿わせて移動させるといった簡単な点検作業を行うことによっても、上記と同様にして漏水発生の可能性が高い状態にまで弾性層４が損傷を受けていることを確実に発見（検知）することができ、バーストなど予期せぬ不良事態の発生を未然に防止することができる。
【００２３】
図４及び図５は本発明に係る漏洩検知型管継手１を、水平またはほぼ水平姿勢に敷設される横引き配管１２Ｈ，１２Ｈに水密状態に接続固定して用いる場合の第２実施例を示す外観側面図であり、この第２実施例では、管周壁部６の外周面のうち、管軸方向中間部位の下側外周面部分に単一の前記無線ＩＣセンサー８を貼り付け固定したものである。その他の構成は、第１実施例で説明したものと同様であるために、それらの詳しい説明は省略する。
【００２４】
この第２実施例による漏洩検知型管継手１の場合は、管周壁部６の弾性層４に裂傷などが発生し、その裂傷部ｘから内部水が外部にまで漏洩したとき、その漏洩した水が管周壁部６の外周面を伝って重力流下して無線ＩＣセンサー８に接触し、該無線ＩＣセンサー８からの電波の発信機能が停止されることになり、単一の無線ＩＣセンサー８を用いるのみで、漏水の発生を直ちにかつ確実に検知することができる。
【００２５】
図６は本発明に係る漏洩検知型管継手１を、水平またはほぼ水平姿勢に敷設される横引き配管１２Ｈ，１２Ｈに水密状態に接続固定して用いる場合の第３実施例を示す外観側面図であり、この第３実施例では、管周壁部６を管軸方向の両端部から中間部位にかけて漸次径が大きくなるように略凸形状に形成し、そのうち最大径となる中間部位６ｃの外周面の下側部分に単一の前記無線ＩＣセンサー８を貼り付け固定したものである。その他の構成は、第１実施例で説明したものと同様であるために、それらの詳しい説明は省略する。
【００２６】
この第３実施例による漏洩検知型管継手１の場合も、第２実施例と同様に、単一の無線ＩＣセンサー８を用いて漏水の発生を検知できるのであるが、特に、裂傷部ｘから漏洩した水を無線ＩＣセンサー８のところに集めやすく、漏水量が少ない場合でも、無線ＩＣセンサー８の発信機能停止を速くして所期の漏水検知性能を高めることができる。
【００２７】
図７は本発明に係る漏洩検知型管継手１を、水平またはほぼ水平姿勢に敷設される横引き配管１２Ｈ，１２Ｈに水密状態に接続固定して用いる場合の第４実施例を示す外観側面図であり、この第４実施例では、管周壁部６の下側外部に集水手段として、該管継手１の管軸方向長さよりも少し長い幅を有する皿状の水溜め冶具１５を配置し、この水溜め冶具１５内の中央部上面に単一の前記無線ＩＣセンサー８を設置したものである。なお、前記水溜め冶具１５は管継手１側の例えば両端フランジ部７，７に固定支持させてもよく、また、横引き配管１２Ｈ，１２Ｈ側のフランジ部１３，１３に固定支持可能としてもよい。その他の構成は、第１実施例で説明したものと同様であるために、それらの詳しい説明は省略する。
【００２８】
この第４実施例による漏洩検知型管継手１の場合も、第２実施例と同様に、単一の無線ＩＣセンサー８を用いて漏水の発生を検知できるのであるが、特に、裂傷部ｘから漏洩した水だけでなく、両端フランジ部７，７による横引き配管１２Ｈ，１２Ｈとの接続部から漏洩した水も水溜め冶具１５内に集めかつ溜めて無線ＩＣセンサー８に接触させることができるので、管継手１全体からの漏水検知を早期に行うことが可能で、漏水による水のロスや周辺設備等への悪影響を素早く消することができる。
【００２９】
図８、図９、図１０は本発明に係る漏洩検知型管継手１を、対地垂直またはほぼ垂直姿勢に敷設される縦引き配管１２Ｖ，１２Ｖに水密状態に接続固定して用いる場合の第５、第６、第７の各実施例を示す外観側面図である。
図８に示す第５実施例では、縦向き姿勢に配置される管継手１の下側フランジ部７ｄの上面に前記無線ＩＣセンサー８を一つまたは円周方向で複数個設置したものであり、その他の構成は、第１実施例で説明したものと同様であるために、それらの詳しい説明は省略する。
【００３０】
この第５実施例による漏洩検知型管継手１の場合は、管周壁部６の弾性層４に裂傷などが発生し、その裂傷部ｘから内部水が外部にまで漏洩したとき、及び、上側フランジ部７ｕによる配管接続部から内部水が外部にまで漏洩したとき、それら漏洩水が管周壁部６の外周面を伝って重力流下して下側フランジ部７ｄの上面に溜まり、その溜まった水に無線ＩＣセンサー８が接触することで漏水の発生を早期かつ確実に検知することができる。
【００３１】
図９に示す第６実施例では、第５実施例と同様に、管継手１の下側フランジ部７ｄの上面に単一の前記無線ＩＣセンサー８が設置されているとともに、管周壁部６の上下中間部位に環状の貯水用段差１６が形成され、この貯水用段差１６の上面に貯水された漏洩水を前記無線ＩＣセンサー８に向けて流下案内する通水溝１７を前記管周壁部６の外表面、詳しくは、弾性層４を構成する外面ゴム層３の外表面にストレート状に形成したものであり、その他の構成は、第１実施例と同様であるために、それらの詳しい説明は省略する。
【００３２】
この第６実施例による漏洩検知型管継手１の場合は、管周壁部６の弾性層４に裂傷などが発生し、その裂傷部ｘから内部水が外部にまで漏洩したとき、及び、上側フランジ部７ｕによる配管接続部から内部水が外部にまで漏洩したとき、それら漏洩水を前記段差１６の上面上に貯水した（溜めた）うえ、通水溝１７を通して無線ＩＣセンサー８に向けて流下案内させ接触させることができるので、漏水量が僅かな場合であっても、前記無線ＩＣセンサー８に確実に接水させて漏水検知性能を一層高めることができる。
【００３３】
図１０に示す第７実施例では、管継手１の下側フランジ部７ｄに接続される下部の縦引き配管１２Ｖのフランジ部１３よりも少し下部の外周部に環状の貯水用段差１８を形成し、この段差１８の上面に前記無線ＩＣセンサー８を一つまたは円周方向に複数個の設置したものであり、その他の構成は、第１実施例と同様であるために、それらの詳しい説明は省略する。
【００３４】
この第７実施例による漏洩検知型管継手１の場合は、管周壁部６の弾性層４に裂傷などが発生し、その裂傷部ｘから内部水が外部にまで漏洩したとき、並びに、上側フランジ部７ｕによる配管接続部及び下側フランジ部７ｄによる配管接続部から内部水が外部にまで漏洩したとき、それら漏洩水を前記段差１８の上面上に貯水し（溜め）、その溜まった水に無線ＩＣセンサー８が接触することで、漏水の発生を早期かつ確実に検知することができる。特に、この第７実施例の場合は、漏水検知範囲を管継手１の全域に拡大することができる。
【００３５】
なお、上記各実施例においては、内面ゴム層２及び外面ゴム層３をともに天然ゴムあるいは合成ゴムから成形したものについて説明したが、軟質塩化ビニル、ポリエチレン、ポリプロピレン等の各種のエラストマーから形成してもよい。
【００３６】
また、本発明において使用する非接触式の無線ＩＣセンサー（無線ＩＣタグあるいはＲＦＩＤタグ）８としては、アクティブ（能動）型、パシブ（受動）型のいずれを用いてもよい。
【図面の簡単な説明】
【００３７】
【図１】本発明に係る漏水検知型管継手の第１実施例を示す半截断面図である。
【図２】無線ＩＣセンサー及びそれを用いた識別管理システムの概略構成図である。
【図３】第１実施例の漏水検知型管継手の使用態様及び漏水検知状態を説明する要部の拡大断面図である。
【図４】本発明に係る漏洩検知型管継手を横引き配管に接続固定して用いる場合の第２実施例を示す外観側面図である。
【図５】第２実施例の場合の漏水検知状態を示す外観側面図である。
【図６】本発明に係る漏洩検知型管継手を横引き配管に接続固定して用いる場合の第３実施例を示す外観側面図である。
【図７】本発明に係る漏洩検知型管継手を横引き配管に接続固定して用いる場合の第４実施例を示す外観側面図である。
【図８】本発明に係る漏洩検知型管継手を縦引き配管に接続固定して用いる場合の第５実施例を示す外観側面図である。
【図９】本発明に係る漏洩検知型管継手を縦引き配管に接続固定して用いる場合の第６実施例を示す外観側面図である。
【図１０】本発明に係る漏洩検知型管継手を縦引き配管に接続固定して用いる場合の第７実施例を示す外観側面図である。
【符号の説明】
【００３８】
１  漏水検知型管継手
２  内面ゴム層
３  外面ゴム層
４  弾性層
５  中間補強層
６  管周壁部
７，７ｕ，７ｄ  フランジ部
８  非接触式無線ＩＣセンサー
１２  配管
１２Ｈ  横引き配管
１２Ｖ  縦引き配管
１５  水溜め冶具（集水手段の一例）
１６，１８  環状の貯水用段差
１７  通水溝
【図１】
2007218839.tif 000003
【図２】
2007218839.tif 000004
【図３】
2007218839.tif 000005
【図４】
2007218839.tif 000006
【図５】
2007218839.tif 000007
【図６】
2007218839.tif 000008
【図７】
2007218839.tif 000009
【図８】
2007218839.tif 000010
【図９】
2007218839.tif 000011
【図１０】
2007218839.tif 000012